【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
押下される操作部材と、
前記操作部材の下方に配置されたスイッチと、
前記操作部材と前記スイッチとの間に設けられ、前記操作部材の押下により弾性座屈変形し、前記操作部材に対して弾性座屈変形に応じた反力を付与する反力発生部材と、
前記操作部材と前記スイッチとの間に設けられ、前記スイッチを押下する押下部材とを備え、
前記反力発生部材は、前記押下部材を支持する支持部を有することを特徴とするキースイッチ装置。
【請求項２】
前記反力発生部材と前記押下部材とは一体的に形成されていることを特徴とする請求項１に記載のキースイッチ装置。
【請求項３】
前記押下部材は、コイルスプリングと、当該コイルスプリングの一端を固定する平板状のベース材とを有し、
前記反力発生部材の中心に、前記コイルスプリングを貫通させる貫通穴が形成されており、前記支持部は前記ベース材を支持することを特徴とする請求項１又は２に記載のキースイッチ装置。
【請求項４】
前記操作部材は、前記ベース材を固定するフック部を有し、
前記ベース材は前記フック部によって前記操作部材の裏面に固定されていることを特徴とする請求項３に記載のキースイッチ装置。
【請求項５】
前記反力発生部材は、前記操作部材の押下に応じて、当該反力発生部材が弾性座屈変形するまで前記操作部材の押下荷重が増加し、前記反力発生部材の弾性座屈変形後に前記操作部材の押下荷重が減少する荷重変位特性を有し、
前記押下部材は、前記操作部材の押下量に応じて前記操作部材の押下荷重が線形増加する荷重変位特性を有することを特徴とする請求項１乃至４のいずれか１項に記載のキースイッチ装置。
【請求項６】
押下される操作部材と、
前記操作部材の下方に配置されたスイッチと、
前記操作部材と前記スイッチとの間に設けられ、前記操作部材の押下により弾性座屈変形し、前記操作部材に対して弾性座屈変形に応じた反力を付与する反力発生部材と、
前記操作部材と前記スイッチとの間に設けられ、前記スイッチを押下する押下部材とを備え、
前記押下部材はコイルスプリングであり、当該コイルスプリングの一端が前記操作部材の裏面に固定されていることを特徴とするキースイッチ装置。
【請求項７】
押下される操作部材と、
前記操作部材の下方に配置されたスイッチと、
前記操作部材と前記スイッチとの間に設けられ、前記操作部材の押下により弾性座屈変形し、前記操作部材に対して弾性座屈変形に応じた反力を付与する反力発生部材と、
前記操作部材と前記スイッチとの間に設けられ、前記スイッチを押下する押下部材とを備え、
前記反力発生部材は、ドーム状の第１ラバーであり、前記押下部材は、前記反力発生部材の内部に配置され且つ前記スイッチを押下する突起を有するドーム状の第２ラバーであり、前記第２ラバーの上端が前記操作部材の裏面と接触するように、前記第１ラバーの上面が開口されていることを特徴とするキースイッチ装置。
【請求項８】
支持板と、
互いに連動して、当該操作部材を前記支持板上で昇降方向へ支持すると共に、一端が前記支持板及び前記操作部材のいずれか一方と摺動自在に連結され、他端が前記支持板及び前記操作部材の他方と回動自在に連結される一対のリンク部材とを備え、
前記押下部材は、弾力性を有し、前記押下部材の先端から前記他端までの長さに対する、前記一対のリンク部材の少なくとも一方の前記一端から前記他端までの長さの割合に、前記操作部材の押下荷重を乗算した荷重を生成することを特徴とする請求項１乃至７のいずれか１項に記載のキースイッチ装置。
【請求項９】
前記押下部材は、前記他端に一体形成されていることを特徴とする請求項８に記載のキースイッチ装置。
【請求項１０】
押下される操作部材と、
前記操作部材の下方に配置されたスイッチと、
前記操作部材と前記スイッチとの間に設けられ、前記操作部材の押下により弾性座屈変形し、前記操作部材に対して弾性座屈変形に応じた反力を付与する反力発生部材と、
前記スイッチ上に設けられ、前記スイッチを押下する押下部材とを備え、
前記操作部材及び前記反力発生部材のいずれか一方は、下方に向けて伸びる第１突起を有し、前記第１突起と前記押下部材とが離れて対向していることを特徴とするキースイッチ装置。
【請求項１１】
前記押下部材はコイルスプリングであり、当該コイルスプリングの一端が前記スイッチ上に固定されていることを特徴とする請求項１０に記載のキースイッチ装置。
【請求項１２】
前記押下部材は下方に向けて伸びる第２突起を有する皿バネであり、当該第２突起が前記スイッチ上に配置されていることを特徴とする請求項１０に記載のキースイッチ装置。
【請求項１３】
請求項１〜１２のいずれか１項に記載のキースイッチ装置が複数配列されていることを特徴とするキーボード。
【請求項１４】
操作部材の押下に応じて、弾性座屈変形するまで前記操作部材の押下荷重が増加し、前記弾性座屈変形後に前記操作部材の押下荷重が減少する荷重変位特性を有する第１部分と、
前記操作部材の下方に配置されたスイッチを押下し、前記操作部材の押下量に応じて前記操作部材の押下荷重が増加する荷重変位特性を有する第２部分と
を有することを特徴とする反力発生部材。
【請求項１５】
前記操作部材の押下量に応じた前記操作部材の押下荷重の増加量は、前記弾性座屈変形後の前記操作部材の押下荷重の減少量よりも小さいことを特徴とする請求項１４の反力発生部材。
【請求項１６】
前記第１部分と前記第２部分とは一体形成されていることを特徴とする請求項１４又は１５に記載の反力発生部材。
【手続補正２】
【補正対象書類名】明細書
【補正対象項目名】発明の名称
【補正方法】変更
【補正の内容】
【発明の名称】キースイッチ装置、キーボード及び反力発生部材
【手続補正３】
【補正対象書類名】明細書
【補正対象項目名】０００１
【補正方法】変更
【補正の内容】
【０００１】
本発明は、キースイッチ装置、キーボード及び反力発生部材に関する。
【手続補正４】
【補正対象書類名】明細書
【補正対象項目名】０００９
【補正方法】変更
【補正の内容】
【０００９】
本発明は、操作感覚と接点押下動作とを良好に対応させ、且つ装置の薄型化を図ることができるキースイッチ装置、キーボード及び反力発生部材を提供することを目的とする。
【手続補正５】
【補正対象書類名】明細書
【補正対象項目名】００１３
【補正方法】変更
【補正の内容】
【００１３】
本明細書に記載のキースイッチ装置は、押下される操作部材と、前記操作部材の下方に配置されたスイッチと、前記操作部材と前記スイッチとの間に設けられ、前記操作部材の押下により弾性座屈変形し、前記操作部材に対して弾性座屈変形に応じた反力を付与する反力発生部材と、前記スイッチ上に設けられ、前記スイッチを押下する押下部材とを備え、前記操作部材及び前記反力発生部材のいずれか一方は、下方に向けて伸びる第１突起を有し、前記第１突起と前記押下部材とが離れて対向していることを特徴とする。
本明細書に記載の反力発生部材は、操作部材の押下に応じて、弾性座屈変形するまで前記操作部材の押下荷重が増加し、前記弾性座屈変形後に前記操作部材の押下荷重が減少する荷重変位特性を有する第１部分と、前記操作部材の下方に配置されたスイッチを押下し、前記操作部材の押下量に応じて前記操作部材の押下荷重が増加する荷重変位特性を有する第２部分とを有することを特徴とする。